(57)【要約】【課題】応募者は匿名を用いて依頼主のウェブページにアクセスして応募することができ、かつ、依頼主はその匿名に対する実在証明を受けることができ、それによって、応募者の実在を確信できるようにする。【解決手段】応募者保証サービスシステムは、通信ネットワーク１と依頼者サイト４と匿名応募者実在保証局装置２と応募者端末３とを有する。匿名応募者実在保証局装置２は、応募者端末３から応募者の実名を含むプロファイル情報を受信すると、応募者に対して匿名を付与して通知し、プロファイル情報とともにその匿名を匿名ユーザ保証データベース２３に登録する。依頼者サイト４は、応募者端末３から匿名でのアクセスがあった場合に匿名応募者実在保証局装置２に対し、その匿名の実在証明を要求し、この要求を受けて匿名応募者実在保証局装置２は、匿名ユーザ保証データベース２３を検索してその匿名の実在証明を依頼者サイト４に伝達する。【選択図】        図１
2005258677.tif 000002
【特許請求の範囲】
【請求項１】
通信ネットワークを介して匿名でアクセスしてきた応募者の実在を証明する応募者保証サービス方法であって、
匿名応募者実在保証局装置が、応募者端末から前記通信ネットワークを介して転送されてきた応募者のプロファイル情報を受け付け、前記応募者に対して１以上の匿名を付与し、前記匿名と前記プロファイル情報とを匿名ユーザ保証データベースに格納するとともに前記応募者端末に前記付与した匿名を通知するステップと、
前記匿名応募者実在保証局装置が、前記通信ネットワークを介して依頼者サイトから匿名についての実在証明要求が転送されてきたときは、前記実在証明要求に付属した匿名が前記匿名ユーザ保証データベースに登録されているかを検索し、登録されている場合は前記依頼者サイトに対して実在証明を送信するステップと、
を有する応募者保証サービス方法。
【請求項２】
前記依頼者サイトが、前記応募者端末からの匿名によるアクセスを受け付けた場合に、前記匿名応募者実在保証局装置に対し、前記アクセスで用いられた匿名の実在証明要求を行うステップと、
前記依頼者サイトが、前記匿名応募者実在保証局装置から前記実在証明を受け付けた場合のみ、該当する匿名でのアクセスを許可するステップと、
をさらに有する請求項１に記載の応募者保証サービス方法。
【請求項３】
前記匿名応募者実在保証局装置が、前記通信ネットワークを経由して前記依頼者サイトを検索して依頼情報を収集するステップと、
前記匿名応募者実在保証局装置が、収集した依頼情報と前記匿名ユーザ保証データベースに格納されているプロファイル情報とのマッチングを検索し、マッチングがあった場合には、該当する依頼情報に対応する依頼者サイトには匿名の応募者がいることを伝えるとともに、該当する応募者端末にはマッチングした依頼情報を有する依頼者サイトがあることを伝えるステップと、
をさらに有する、請求項１または２に記載の応募者保証サービス方法。
【請求項４】
前記応募者端末が、前記付与された匿名と希望する条件とを含むエージェントを前記通信ネットワーク上に流すステップと、
前記エージェントが前記希望する条件と前記依頼者サイトでの依頼条件とのマッチングを検出するステップと、
前記応募者端末が、マッチングが検出された依頼者サイトから関連情報を入手するステップと、
をさらに有する、請求項１または２に記載の応募者保証サービス方法。
【請求項５】
前記応募者は職業応募者であり、前記依頼者サイトは求人サイトであって、
前記匿名応募者実在保証局装置が、前記職業応募者の実名と、該実名に対して付与した１以上の匿名と、前記職業応募者の求職情報とを求職データベースに登録するステップをさらに有する、請求項１または２に記載の応募者保証サービス方法。
【請求項６】
前記匿名応募者実在保証局装置が前記通信ネットワークを経由して前記求人サイトを検索して求人広告情報を集めるステップと、
前記匿名応募者実在保証局装置が、収集した求人広告情報と前記求職データベースに格納されている求職情報とのマッチングを検索し、マッチングがあった場合には、該当する求人広告情報に対応する求人サイトには匿名の応募者がいることを伝えるとともに、該当する応募者端末にはマッチングした求人広告情報を有する求人サイトがあることを伝えるステップと、
をさらに有する、請求項５に記載の応募者保証サービス方法。
【請求項７】
前記求人サイトが求人及び仕事の条件を含む問い合せを匿名応募者実在保証局装置に転送するステップと、
前記匿名応募者実在保証局装置が前記条件と前記求職データベースに格納されている求職情報とのマッチングを検出するステップと、
前記応募者端末が前記マッチングした条件をキーとして前記匿名応募者実在保証局装置から関連情報を入手するステップと、
を有する、請求項５に記載の応募者保証サービス方法。
【請求項８】
前記求人サイトが求人及び仕事の条件を含む問い合せを匿名応募者実在保証局装置に転送するステップと、
前記匿名応募者実在保証局装置が前記条件と前記求職データベースに格納されている求職情報とのマッチングを検出するステップと、
前記求人サイトが前記マッチングした条件をキーとして前記匿名応募者実在保証局装置から関連情報を入手するステップと、
を有する、請求項５に記載の応募者保証サービス方法。
【請求項９】
通信ネットワークを介して匿名でアクセスしてきた応募者の実在を証明する応募者保証サービスシステムであって、
匿名ユーザ保証データベースと、
前記通信ネットワークに接続され、応募者端末から前記通信ネットワークを介して転送されてきた応募者のプロファイル情報を受け付け、前記応募者に対して１以上の匿名を付与し、前記匿名と前記プロファイル情報とを匿名ユーザ保証データベースに格納するとともに前記応募者端末に前記付与した匿名を通知し、前記通信ネットワークを介して依頼者サイトから匿名についての実在証明要求が転送されてきたときは、前記実在証明要求に付属した匿名が前記匿名ユーザ保証データベースに格納されているかを検索し、格納されている場合は前記依頼者サイトに対して実在証明を送信する匿名応募者実在保証局装置と、
を有する応募者保証サービスシステム。
【請求項１０】
前記依頼者サイトは、前記通信ネットワークを介して前記応募者端末からの匿名によるアクセスを受け付けた場合に、前記匿名応募者実在保証局装置に対して前記アクセスで用いられた匿名の実在証明要求を行い、前記匿名応募者実在保証局装置から前記実在証明を受け付けた場合のみ、該当する匿名でのアクセスを許可する、請求項９に記載の応募者保証サービスシステム。
【請求項１１】
前記匿名応募者実在保証局装置は、前記通信ネットワークを経由して前記依頼者サイトを検索して依頼情報を収集し、収集した依頼情報と前記匿名ユーザ保証データベースに格納されているプロファイル情報とのマッチングを検索し、マッチングがあった場合には、該当する依頼情報に対応する依頼者サイトには匿名の応募者がいることを伝えるとともに、該当する応募者端末にはマッチングした依頼情報を有する依頼者サイトがあることを伝える、請求項９または１０に記載の応募者保証サービスシステム。
【請求項１２】
前記応募者は職業応募者であり、前記依頼者サイトは求人サイトであって、前記匿名応募者実在保証局装置は、前記職業応募者の実名と、該実名に対して付与した１以上の匿名と、前記職業応募者の求職情報とを求職データベースに登録する、請求項９または１０に記載の応募者保証サービスシステム。
【請求項１３】
前記匿名応募者実在保証局装置は、前記通信ネットワークを経由して前記求人サイトを検索して求人広告情報を集め、収集した求人広告情報と前記求職データベースに格納されている求職情報とのマッチングを検索し、マッチングがあった場合には、該当する求人広告情報に対応する求人サイトには匿名の応募者がいることを伝えるとともに、該当する応募者端末にはマッチングした求人広告情報を有する求人サイトがあることを伝える、請求項１２に記載の応募者保証サービスシステム。
【請求項１４】
通信ネットワークに接続される匿名応募者実在保証局装置であって、
前記通信ネットワークに接続するためのネットワーク接続部と、
応募者端末から前記通信ネットワークを介して応募者のプロファイル情報を受信すると、該応募者に対する１以上の匿名を作成して前記応募者端末に送信するとともに、前記匿名と前記プロファイル情報とを匿名ユーザ保証データベースに登録するＤＢ処理管理部と、
匿名が与えられたときに前記与えられた匿名が前記匿名ユーザ保証データベース内に登録されているかを検索して登録されている場合に前記与えられた匿名に対する実在証明を送信するマッチング検索部と、
を有する匿名応募者実在保証局装置。
【請求項１５】
コンピュータに、
応募者端末から通信ネットワークを介して転送されてきた応募者のプロファイル情報を受け付け、前記応募者に対して１以上の匿名を付与し、前記匿名と前記プロファイル情報とを匿名ユーザ保証データベースに格納するとともに前記応募者端末に前記付与した匿名を通知する処理、
前記通信ネットワークを介して依頼者サイトから匿名についての実在証明要求が転送されてきたときは、前記実在証明要求に付属した匿名が前記匿名ユーザ保証データベースに登録されているかを検索し、登録されている場合は前記依頼者サイトに対して実在証明を送信する処理、
とを実行させるプログラム。
【請求項１６】
前記コンピュータに、さらに、
前記通信ネットワークを経由して前記依頼者サイトを検索して依頼情報を収集する処理、
収集した依頼情報と前記匿名ユーザ保証データベースに格納されているプロファイル情報とのマッチングを検索し、マッチングがあった場合には、該当する依頼情報に対応する依頼者サイトには匿名の応募者がいることを伝えるとともに、該当する応募者端末にはマッチングした依頼情報を有する依頼者サイトがあることを伝える処理、
とを実行させる、請求項１５に記載のプログラム。
【請求項１７】
前記コンピュータに、さらに、
前記応募者である職業応募者の実名と、該実名に対して付与した１以上の匿名と、前記職業応募者の求職情報とを求職データベースに登録する処理、
前記通信ネットワークを経由して前記依頼者サイトである求人サイトを検索して求人広告情報を集める処理、
収集した求人広告情報と前記求職データベースに格納されている求職情報とのマッチングを検索し、マッチングがあった場合には、該当する求人広告情報に対応する求人サイトには匿名の応募者がいることを伝えるとともに、該当する応募者端末にはマッチングした求人広告情報を有する求人サイトがあることを伝える処理、
を実行させる、請求項１５に記載のプログラム。
【請求項１８】
コンピュータが読み取り可能な記録媒体であって、請求項１５乃至１７のいずれか１項に記載のプログラムを格納した記録媒体。
【発明の詳細な説明】
【技術分野】
【０００１】
通信ネットワークを用いたサービスシステムに関し、特に、依頼（求人など）に対する匿名での応募における応募者の実在を保証することができる、応募者保証サービス方法及びシステムと、そのために用いられる匿名応募者実在保証局装置とに関する。
【背景技術】
【０００２】
インターネットなどの通信ネットワークの普及により、求人その他の募集活動やアンケート調査、オークションなどが、それらのネットワーク上で行われるようになってきている。求人やその他の募集に対してネットワークを介して応募する者は、応募登録に際して実名などを用いると、ネットワーク上に個人情報を流すこととなり、不安に感じることが多い。そのため、ネットワーク上での応募には、匿名が用いられることが多い。しかしながら匿名による応募では、依頼主（求人者など）は、その応募者が信頼できる、すなわち実在して本当に応募する意思を有しているのか、あるいは単なる「冷やかし」なのかを判断できないのが現状である。
【０００３】
特許文献１（特開２００２―１６３４７５「ＩＴ人材情報サービス事業の処理方法および処理装置」）には、情報処理技術者試験実施者の端末から合格者情報を、情報処理技術者試験の合格者の端末から求職情報を、また企業の端末からは求人情報を、それぞれＩＴ技術者情報サービス装置に対して送信し、ＩＴ技術者情報サービス装置はこれらの情報をデータベースに登録し、その後、ＩＴ技術者情報サービス装置は、求職者及び企業から希望条件等の情報を収集し登録し、求職者及び企業から希望条件によりデータべースを検索して、一覧を作成し、求職者及び企業に対して希望条件に近い企業及び求職者を提供し、両者が面接を希望するときには、画面上で面接を行なえるようにするシステムが開示されている。しかしながらこのシステムは、求職者が求人企業のウェブページに自由にアクセスすることができるものではないとともに、求職者が予めＩＴ技術者情報サービス装置に登録する必要があり、求人側である企業側としてもＩＴ技術者情報サービス装置に登録する必要があり、必ずしも使い勝手のよいものではなかった。
【０００４】
特許文献２（特開２００１―３３１６８４「就職支援システム」）には、ウェブサーバを備えた就職支援システムであって、ウェブサーバが他のウェブサーバを巡回し、求人情報が記述されたウェブページを検索する求人情報検索手段と、ウェブページの記述中から求人に関する所定の情報を抽出して企業情報データベースに蓄積する手段と、企業情報ファイルの中から、各企業の属性情報を抽出して企業情報データベースに蓄積する手段と、求職者の端末から求人情報の検索条件が入力された場合に、求人情報データベースを検索して検索条件に該当する求人情報を抽出するとともに、企業の属性情報を企業情報データベースから読み出す手段と、求人情報及び企業の属性情報を求職者の端末に送信する手段とを備える就職支援システムが開示されている。この就職支援システムでは、多くの求人条件をデータベースに効率的に収集・蓄積して、求職者の参考資料となる候補企業の属性情報を提供できる。しかしながらこのシステムは、単に求人情報を効率よく取得できるようにするものであって、匿名での応募を可能にするものではない。
【０００５】
特許文献３（特開２０００−５７２１３「求人求職などの情報交換システム」）には、ＷＷＷサーバーとして機能する求人求職情報交換システムであって、求職者と求人企業との有意義な情報交換に役立たせるために、求職会員と求人会員のそれぞれについての名簿情報を求職会員名簿および求人会員名簿として管理し、求人情報は求職会員コンピュータに対して、求職情報は求人会員コンピュータに対してそれぞれ検索閲覧に供するようにし、特に、求人会員コンピュータに対しては、匿名求職情報のみ検索閲覧に供するようにしたシステムが開示されている。このシステムでは、求人会員コンピュータからの匿名求職情報に対するコメント情報の内容を求職会員コンピュータに提示するとともに、このコメント情報に付帯して、実名応募用の画面情報を求職会員コンピュータに送り、実名応募する旨の回答を得た場合、該当の求職会員についての名簿情報も該当の求人会員コンピュータにて閲覧可能としている。しかしながらこのシステムは、求職者が求人企業のウェブページに自由にアクセスすることができるものではないとともに、求職者が予め求職会員コンピュータに登録する必要があるとともに、また、求人側である企業側としても求職会員コンピュータに登録する必要があり、必ずしも使い勝手のよいものではなかった。
【特許文献１】特開２００２―１６３４７５号公報
【特許文献２】特開２００１−３３１６８４号公報
【特許文献３】特開２０００−５７２１３号公報
【発明の開示】
【発明が解決しようとする課題】
【０００６】
しかしながら、匿名での応募を可能にする上述した各システムは、いずれも、応募者（求職者）と依頼主（求人企業など）がともにセンター装置に登録する必要があり、そのため、求職者が１または複数の匿名を使って１または複数の企業の求人用ウェブページに自由にアクセスすることができず、そのため使い勝手がよくない、という問題点がある。
【０００７】
本発明の目的は、応募者は１または複数の匿名を用いて依頼主のウェブページにアクセスして応募することができ、かつ、依頼主はその匿名に対する実在証明を受けることができ、それによって、応募者の実在を確信できて、以後、その応募者に対して安心して接触したり依頼したりすることができる、応募者保証サービス方法及びシステムと、そのために用いられる匿名応募者実在保証局装置とを提供することにある。
【課題を解決するための手段】
【０００８】
本発明の応募者保証サービス方法は、通信ネットワークを介して匿名でアクセスしてきた応募者の実在を証明する応募者保証サービス方法であって、匿名応募者実在保証局装置が、応募者端末から通信ネットワークを介して転送されてきた応募者のプロファイル情報を受け付け、応募者に対して１以上の匿名を付与し、匿名とプロファイル情報とを匿名ユーザ保証データベースに格納するとともに応募者端末にその付与した匿名を通知するステップと、匿名応募者実在保証局装置が、通信ネットワークを介して依頼者サイトから匿名についての実在証明要求が転送されてきたときは、実在証明要求に付属した匿名が匿名ユーザ保証データベースに登録されているかを検索し、登録されている場合は依頼者サイトに対して実在証明を送信するステップと、を有する。
【０００９】
本発明の応募者保証サービスシステムは、通信ネットワークを介して匿名でアクセスしてきた応募者の実在を証明する応募者保証サービスシステムであって、匿名ユーザ保証データベースと、通信ネットワークに接続され、応募者端末から通信ネットワークを介して転送されてきた応募者のプロファイル情報を受け付け、応募者に対して１以上の匿名を付与し、匿名とプロファイル情報とを匿名ユーザ保証データベースに格納するとともに応募者端末にその付与した匿名を通知し、通信ネットワークを介して依頼者サイトから匿名についての実在証明要求が転送されてきたときは、実在証明要求に付属した匿名が匿名ユーザ保証データベースに格納されているかを検索し、格納されている場合は依頼者サイトに対して実在証明を送信する匿名応募者実在保証局装置と、を有する。
【００１０】
本発明の匿名応募者実在保証局装置は、通信ネットワークに接続される匿名応募者実在保証局装置であって、通信ネットワークに接続するためのネットワーク接続部と、応募者端末から通信ネットワークを介して応募者のプロファイル情報を受信すると、その応募者に対する１以上の匿名を作成して応募者端末に送信するとともに、匿名とプロファイル情報とを匿名ユーザ保証データベースに登録するＤＢ処理管理部と、匿名が与えられたときに与えられた匿名が匿名ユーザ保証データベース内に登録されているかを検索して登録されている場合に与えられた匿名に対する実在証明を送信するマッチング検索部と、を有する。
【発明の効果】
【００１１】
今後、大発展が予想される情報通信システムにおいて、個人情報の秘匿はセキュリティ上重要な事柄であり、匿名を用いて情報源にアクセスすることが多くなってくる。しかしながら、従来技術では、アクセスされた側ではその匿名者が信頼できる者であるのか、単なる「冷やかし」なのかの判断ができず、情報通信システムの発展の阻害要因となっている。本発明によれば匿名のアクセス者であってもその身元を保証してもらえるので、前述の阻害要因は解消し、安心して情報通信システムを使えることとなる。
【００１２】
すなわち本発明は、応募者などの利用者にとっては、実名などの個人情報をネットワーク上に流すことなく、匿名にて安心して求人情報などに応募することができるようになるとともに、求人する事業者側などにとっては、ネットワーク上に依頼した求人広告などにマッチした匿名のユーザが信頼できるか、冷やかしでないかを知ることができ、安心して応募者に依頼ができるようになる、という効果がある。
【発明を実施するための最良の形態】
【００１３】
次に、本発明の好ましい実施の形態について、図面を参照して説明する。
【００１４】
本発明に基づく応募者保証サービスシステムは、一般には、通信ネットワークと依頼者サイトと匿名応募者実在保証局装置と応募者の応募者端末とからなっている。そして、このシステムでは、まず、匿名応募者実在保証局装置に対して応募者端末より応募者のプロファイル情報が転送されると、匿名応募者実在保証局装置は、その応募者の実名に対して１以上の匿名を付与し、その応募者のプロファイル情報とともにその匿名を匿名ユーザ保証データベースに登録し、さらに、応募者に対してその応募者の匿名を通知する。その後、応募者は通知された匿名を用いて求人用ウェブページなどの依頼者サイトにアクセスすることになる。応募者端末から匿名によって依頼者サイトにアクセスがあると、依頼者サイトは、匿名応募者実在保証局装置に対し、その匿名の実在証明を要求し、この要求を受けて匿名応募者実在保証局装置は、その匿名の実在証明を依頼者サイトに伝達する。匿名に対する実在証明を受け取ったら、依頼者サイトは、応募者端末との間で応募と依頼に関する情報の交換を開始する。
【００１５】
本発明では、応募者の実名と匿名とプロファイル情報とが登録された匿名ユーザ保証データベースを管理する匿名応募者実在保証局装置をネットワーク上に設け、匿名応募者実在保証局装置が、応募者に対しては、使用すべき匿名を通知するとともに、企業などの依頼主からの応募者実在証明の要求に応えることで、依頼者は安心して応募者からの応募を受け付け、その応募者に対してコンタクトや依頼することができるようになる。
【００１６】
《第１の実施形態》
図１は、本発明の第１の実施形態の応募者保証サービスシステムの構成を示している。この応募者保証サービスシステムは、インターネットなどの通信ネットワーク１上に構築されるものであって、通信ネットワーク１には、匿名応募者実在保証局装置２と応募者端末３と依頼者サイト４、５とが接続し、匿名応募者実在保証局装置２には、匿名ユーザ保証データベース２３が接続している。匿名応募者実在保証局装置２には、外部、例えば通信ネットワーク１を経由して応募者端末３や依頼者サイト４、５との情報通信を行うためのネットワーク接続部２１と、応募者端末３から通信ネットワーク１を介して応募者のプロファイル情報を受信すると、その応募者に対する１以上の匿名を作成して応募者端末３に送信するとともに、その匿名とプロファイル情報とを匿名ユーザ保証データベース２３に登録するＤＢ（データベース）処理管理部２２と、匿名が与えられたときにその匿名が匿名ユーザ保証データベース２３内に登録されているかどうかを検索するマッチング検索部２４と、依頼者端末４、５から通信ネットワーク１を介して匿名の実在証明要求を受け付けたときに、マッチング検索部２４を起動して匿名ユーザ保証データベース２３中にその匿名の登録があるかどうかを検索させるステータス管理制御部２５と、を備えている。匿名ユーザ保証データベース２３中にその匿名の登録があった場合には、マッチング検索部２４はその匿名の実在証明を、実在証明要求を発した依頼者サイト４に送信する。
【００１７】
以下、本実施形態の動作について説明する。本実施形態の応募者保証サービスシステムでは、各種の動作形態が考えられるので、各動作形態についてそれぞれ説明する。
【００１８】
図３に示したものでは、まず、ステップＡ１において、応募者端末３から、応募者のプロファイル情報を匿名応募者実在保証局装置２に転送する。ここでプロファイル情報としては、匿名を使用する応募者の実在を保証するためだけであれば、応募者の実在を保証するに十分なだけの情報、例えば、応募者の実名やその他の認証情報だけでよい。後述する図５に示す例のように、応募者側の依頼条件と依頼者サイトでの依頼条件とのマッチングをこのプロファイル情報に基づいて行う場合であれば、そのようなマッチングを行うために必要な情報をプロファイル情報に持たせておく必要がある。例えば、求人求職活動を支援するためにこの応募者保証サービスシステムが用いられるのであれば、応募者の実名などのほかに、希望職種や希望勤務地、希望給与、所有する資格や経歴などの情報が、プロファイル情報に含まれることになる。
【００１９】
次に、ステップＡ２において、匿名応募者実在保証局装置２では、ＤＢ処理管理部２２が、応募者に１以上の匿名を付与してそのプロファイル情報とともに匿名ユーザ保証データベース２３に登録し、その匿名を応募者端末３に送信する。その結果、ステップＡ３において、応募者端末３は、匿名ユーザ保証データベース２３に登録済みの１以上の匿名を入手することになる。
【００２０】
その後、応募者は、匿名で依頼者サイト４にアクセスしようとし、ステップＡ４において、応募者端末３は先に入手した匿名を用いて依頼者サイト４にアクセスする。応募者端末３からの匿名でのアクセスを受け付けると、依頼者サイト４は、ステップＡ５において、匿名応募者実在保証局装置２に対し、応募者端末３が使用した匿名の実在証明を要求する。実在証明要求を受けると、匿名応募者実在保証局装置２のマッチング検索部２４は、ステップＡ６において、匿名について匿名ユーザ保証データベース２３に登録済みであるかどうかについて、そのデータベースを検索する。そして、登録があればその匿名の実在証明があるとして、ステップＡ７に移行し、登録がなければ、登録のない旨が依頼者サイト４に伝達されて、ステップＡ９に移行し、依頼者サイト４は、応募者端末３からのアクセスを拒否する。また、ステップＡ５の実施後、依頼者サイト４では匿名応募者実在保証局装置２からの応答が所定の時間内に来るかどうかを確認するために、タイマを起動し、ステップＡ８において、ステップＡ５の後、Ｔ秒経過したかどうかを判別する。Ｔ秒経過した場合には、タイムアウトとしてステップＡ９に移行し、応募者端末３からのアクセスを拒否する。Ｔ秒経過していない場合には、匿名応募者実在保証局装置２からの応答を待ち合わせるために、再びステップＡ８に戻る。定数Ｔについては、依頼者サイト４と匿名応募者実在保証局装置２との間のネットワーク環境や匿名応募者実在保証局装置２の処理能力に応じて、適宜に定められる。
【００２１】
ステップＡ７では、匿名応募者実在保証局装置２が、実在証明要求に係る匿名の実在証明を依頼者サイト４に送信する。応募者端末３に対応する匿名の実在証明を得ると、依頼者サイト４は、ステップＡ１０において、応募者端末３からのアクセスへの応答を開始し、その後、ステップＡ１１において依頼者サイト４は応募者端末３との依頼と応答情報の交換開始するとともに、ステップＡ１２において、応募者端末３は、依頼者サイト４との依頼と応答情報の交換を開始する。
【００２２】
このようにして図３に示した例では、応募者は匿名で依頼者サイト４にアクセスできるとともに、依頼者サイト４では、応募者の実在を確認することができるようになる。
【００２３】
また、一人の応募者が複数の匿名を使って異なる依頼者サイトにアクセスすれば、個人情報の秘匿性は一層高まる。そのような場合には、通信ネットワーク１には匿名応募者実在保証局装置２と応募者端末３との他に複数の依頼者サイト４、５が接続しているものとする。そして、匿名応募者実在保証局装置２には応募者端末３より応募者のプロファイル情報が転送されると、匿名応募者実在保証局装置２は応募者の実名に対して複数の匿名を付与してそのプロファイル情報とともに匿名ユーザ保証データベース２３に登録するとともにその匿名を応募者端末３に通知する。その後、応募者端末３は異なる匿名を用いて複数の依頼者サイト４、５にアクセスし、各依頼者サイト４、５は、匿名応募者実在保証局装置２に対し匿名の実在証明を要求し、匿名応募者実在保証局装置２が匿名の実在証明を依頼者サイト４、５に伝えることとなる。その後、応募者端末３と依頼者サイト４あるいは５との間で、応募と依頼に関する情報の交換を行なわれる。
【００２４】
図４は、一人の応募者が複数の匿名（ＡとＢ）を使って異なる依頼者サイトにアクセスする場合の処理を示している。
【００２５】
ステップＡ１〜Ａ３は、図３の場合と同じである。ステップＡ３の後、応募者端末３は、ステップＡ１３において、先に入手した匿名Ａを用いて依頼者サイト４にアクセスする。すると、依頼者サイト４は、応募者端末３からのアクセスを受信して後、ステップＡ１４において、匿名応募者実在保証局装置２に対し、応募者端末３が使用した匿名（匿名Ａ）の実在証明を要求する。匿名応募者実在保証局装置２では、マッチング検索部２４が匿名ユーザ保証データベース２３を検索し、ステップＡ１５において、実在証明が要求された匿名が登録されているかどうかを調べ、その実在証明があるかないかを判断する。ここで、登録があればその匿名の実在証明があるとして、ステップＡ１６に移行し、登録がなければ、登録のない旨が依頼者サイト４に伝達されて、ステップＡ１８に移行し、依頼者サイト４は、応募者端末３からのアクセスを拒否する。また、ステップＡ１４の実施後、依頼者サイト４では匿名応募者実在保証局装置２からの応答が所定の時間内に来るかどうかを確認するために、タイマを起動し、ステップＡ１７において、ステップＡ１４の後、Ｔ秒経過したかどうかを判別する。Ｔ秒経過した場合には、タイムアウトとしてステップＡ１８に移行し、応募者端末３からのアクセスを拒否する。
【００２６】
ステップＡ１６では、匿名応募者実在保証局装置２が、匿名Ａの実在証明を依頼者サイト４に送信する。依頼者サイト４は、応募者端末３の匿名Ａの実在証明を得て、ステップＡ１９において、応募者端末３からのアクセスへの応答を開始し、その後、ステップＡ２０において、依頼者サイト４は、応募者端末３との依頼と応答の情報の交換を開始し、ステップＡ２１において、応募者端末３は、依頼者サイト４との依頼と応答の情報の交換を開始する。
【００２７】
引き続いてステップＡ２２において、応募者端末３は、先に入手した匿名Ｂを用いて依頼者サイト５にアクセスする。依頼者サイト５は、応募者端末３からのアクセスを受信して後、ステップＡ２３において、匿名応募者実在保証局装置２に対し、応募者端末３が使用した匿名（匿名Ｂ）の実在証明を要求する。すると、匿名応募者実在保証局装置２のマッチング検索部２４は、ステップＡ２４において、匿名ユーザ保証データベース２３を検索し、実在証明が要求された匿名について、実在証明が有りか無しかを判別する。実在証明ありであれば、ステップＡ２５に移行し、実在証明なしであれば、その旨が依頼者サイト５に伝達され、ステップＡ２７において、依頼者サイト５は応募者端末３からのアクセスを拒否する。また、依頼者サイト５では、ステップＡ２６において、ステップＡ２３の後、Ｔ秒経過したかどうかを判別する。Ｔ秒経過した場合には、タイムアウトとしてステップＡ２７に移行し、応募者端末３からのアクセスを拒否する。
【００２８】
ステップＡ２５では、匿名応募者実在保証局装置２が、匿名Ｂの実在証明を依頼者サイト５に送信し、依頼者サイト５は、ステップＡ２８において、応募者端末３の匿名Ｂの実在証明を得て、応募者端末３からのアクセスへの応答を開始する。その後、ステップＡ２９において、依頼者サイト５は応募者端末３との依頼と応答の情報の交換を開始するとともに、ステップＡ３０において、応募者端末３は、依頼者サイト５との依頼と応答の情報の交換を開始する。
【００２９】
このようにして図４に示した例では、応募者は異なる複数の匿名を用いて異なる依頼者サイト４、５にアクセスできるとともに、依頼者サイト４、５では、応募者の実在を確認することができるようになる。
【００３０】
なお、図３に示した例でのステップＡ１１、Ａ１２、及び図４に示した例でのステップＡ２０、Ａ２１、Ａ２９、Ａ３０で交換される情報としては、テキストベースの情報であってもよいし、さらに、テキストベースの情報に加えて、画像や映像による容姿や演技、そして音響や音声を含むスピーチや及びその他マルチメディア質疑応答の情報であってもよい。
【００３１】
さらに本実施形態の別の例では、図５に示すように、匿名応募者実在保証局装置２は、通信ネットワーク１を経由して依頼者サイトを検索して依頼に関する情報を集め、その後、匿名ユーザ保証データベース２３に登録されているプロファイル情報と依頼に関する情報とのマッチングを検索し、マッチングした依頼情報をもつ依頼者サイト４に対し、そのようにマッチングした匿名の応募者がいることを伝え、その応募者の応募者端末３には、マッチングした依頼情報をもつ依頼者サイト４があることを伝えるようにしている。以下、図５における各ステップを詳細に説明する。ここでは、図３や図４に示した場合と同様に、応募者は予めその実名を含むプロファイル情報を匿名応募者実在保証局装置２に通知し、匿名応募者実在保証局装置２は、各応募者のプロファイル情報を匿名ユーザ保証データベース２３に登録しているものとする（図３のステップＡ１〜Ａ３の処理が行われているものする）。
【００３２】
まず、ステップＢ１において、依頼者サイト４は、その依頼情報をそのサイトに掲載する（その依頼者サイト４におけるウェブページ内に記載する）。匿名応募者実在保証局装置２は、ステップＢ２において、各依頼者サイトを検索して依頼情報を収集する。その後、匿名応募者実在保証局装置２は、ステップＢ３において、匿名ユーザ保証データベース２３のデータとステップＢ１で収集したデータ（依頼情報）とのマッチング状況を調査し、ステップＢ４において、マッチングの有無を判定する。ここでマッチングがない場合には、ステップＢ５において、匿名応募者実在保証局装置２は、他の依頼者サイトにアクセスし、ステップＢ２に戻る。
【００３３】
一方、ステップＢ４においてマッチングがあった場合には、匿名応募者実在保証局装置２は、ステップＢ６において、該当する依頼者サイト４に対し、匿名での応募者がいる旨を記載したメールを送信し、依頼者サイト７は、ステップＢ７において、このメールを受信する。同時に匿名応募者実在保証局装置２は、ステップＢ８において、該当する応募者端末３に対し、マッチングした依頼者サイト４が有る旨のメールを送付し、応募者端末３は、ステップＢ９において、応募者端末３はそのメールを受信する。その後、応募者端末３は、マッチングした依頼者サイト４に対し、匿名応募者実在保証局装置２から通知されている匿名を用いてアクセスすればよく、そのようにアクセスすることによって、図３におけるステップＡ４からの処理が実行されることになる。
【００３４】
本実施形態のさらに別の例では、図６に示すように、応募者端末３は、その希望する依頼条件とを含むデータを、通信ネットワーク１上に例えばエージェントメールとして流す。エージェントメールは、応募者端末３から依頼者サイトに送られ、その依頼者サイトを調査し、希望した依頼条件と依頼者サイトに記載された依頼条件とのマッチングを調査する。ここでマッチングがなければ、エージェントメールは次の依頼者サイトに送られてその依頼者サイトを同様に調査する。そして、依頼者サイトにおいてマッチングがあった場合には、図３に示した処理と同様に、匿名での応募者の実在証明がなされ、応募者端末３は、マッチングした依頼者サイトから関連情報を入手できるようになる。以下、図６における各ステップを説明する。ここでは、図３や図４に示した場合と同様に、応募者は予めその実名を含むプロファイル情報を匿名応募者実在保証局装置２に通知し、匿名応募者実在保証局装置２は、各応募者のプロファイル情報を匿名ユーザ保証データベース２３に登録しているものとする（図３のステップＡ１〜Ａ３の処理が行われているものする）。
【００３５】
まずステップＣ１において、依頼者サイト４は、その依頼情報をそのサイトに掲載し、同様にステップＣ２において、依頼者サイト５は、その依頼情報をそのサイトに掲載する。次に、ステップＣ３において、応募者端末３は、匿名応募者実在保証局装置２から先に入手した匿名と応募者の依頼条件とを含むメールを、依頼者サイト４に対し、エージェントメールとして送付する。その結果、ステップＣ４において、エージェントメール中のエージェントが依頼者サイト４の掲載情報を検索し、応募者の依頼条件と依頼者サイト４の依頼条件とのマッチング状況を調査し、その結果を応募者端末３に送信する。
【００３６】
応募者端末３は、ステップＣ５において、エージェントメールから返信された結果に基づき、その依頼者サイト４で依頼条件のマッチングがあったどうかを判断する。ここでマッチングがない場合には、ステップＣ７において、応募者端末３は、他の依頼者サイトにアクセスし、ステップＣ３に戻る。
【００３７】
一方、ステップＣ５においてマッチング有りとされた場合には、ステップＣ６において、応募者端末３は、先に匿名ユーザ保証データベース２３に登録済みである匿名を用いて、マッチングのあった依頼者サイト４にアクセスする。その結果、図３に示した場合と同様に、依頼者サイト４は、応募者端末３からのアクセスを受信して後、ステップＣ８において、匿名応募者実在保証局装置２に対し、応募者端末３が使用した匿名の実在証明を要求する。匿名応募者実在保証局装置２は、ステップＣ９において、その匿名が匿名ユーザ保証データベース２３に登録済みであるかどうかを検索し、その匿名の実在証明が有るかないかを判断する。実在証明ありであれば、ステップＣ１０に移行し、実在証明なしであれば、その旨が依頼者サイト４に伝達され、ステップＣ１５において、依頼者サイト４は応募者端末３からのアクセスを拒否する。また、依頼者サイト５では、ステップＣ１４において、ステップＣ８の後、Ｔ秒経過したかどうかを判別する。Ｔ秒経過した場合には、タイムアウトとしてステップＣ１５に移行し、応募者端末３からのアクセスを拒否する。
【００３８】
ステップＣ１０では、匿名応募者実在保証局装置２が、匿名Ａの実在証明を依頼者サイト４に送信し、依頼者サイト４は、応募者端末３の用いた匿名の実在証明を得て、ステップＣ１１において、応答者端末３からのアクセスへの応答を開始する。その後、ステップＣ１２において、依頼者サイト４は応募者端末３との依頼と応答の情報の交換を開始するとともに、ステップＣ１３において、応募者端末３は、依頼者サイト４との依頼と応答の情報の交換を開始する。
【００３９】
《第２の実施形態》
次に、本発明の第２の実施形態に説明する。図７は、第２の実施形態の応募者保証サービスシステムの構成を示している。この応募者保証サービスシステムは、インターネットなどの通信ネットワーク１上に構築されるものであって、通信ネットワーク１には、匿名応募者実在保証局装置２と職業応募者（求職者）端末６と求人サイト７とが接続し、匿名応募者実在保証局装置２には、上述した匿名ユーザ保証データベース２３の他に、職業応募者の求職内容（求める仕事の内容や条件など）を格納する求職データベース２６が接続している。匿名応募者実在保証局装置２としては、図２に示したものと同様のものが使用されるが、匿名ユーザ保証データベース２３のほかに求職データベース２６も接続していることにより、匿名応募者実在保証局装置２２では、ＤＢ処理管理部２２は、職業応募者端末６から通信ネットワーク１を介して職業応募者の求職情報を受信すると、職業応募者の実名とその実名に対して上述のようにして付与された１つ以上の匿名とその職業応募者の求職情報とを求職データベース２６に登録する。マッチング検索部２４は、依頼者サイト側に掲載された職務内容や勤務条件などの条件と、求職データベース２６中の求職情報とのマッチングも検索できるようになっている。なお、この実施形態において、求人サイトは、第１の実施形態での依頼者サイトの１つの例に相当し、同様に、職業応募者端末は、応募者端末の１つの例に相当する。
【００４０】
以下、本実施形態の動作について説明する。本実施形態の応募者保証サービスシステムでは、各種の動作形態が考えられるので、各動作形態についてそれぞれ説明する。
【００４１】
図８に示したものは、図３に示したものとほぼ同様の動作を行うものである。まず、ステップＤ１において、職業応募者端末６は、応募者のプロファイル情報を匿名応募者実在保証局装置２に転送し、ステップＤ２において、匿名応募者実在保証局装置２は、その職業応募者に１以上の匿名を付与して、プロファイル情報とともに匿名ユーザ保証データベース２３に登録する。その後、職業応募者端末６は、ステップＤ３において、付与された登録済みの１以上の匿名を入手し、ステップＤ４において、入手した匿名を用いて求人サイト７にアクセスする。求人サイト７は、職業応募者端末６からのアクセスを受信して後、ステップＤ５において、匿名応募者実在保証局装置２に対し、職業応募者端末６が使用した匿名の実在証明を要求する。
【００４２】
匿名応募者実在保証局装置２のマッチング検索部２４は、ステップＤ６において、匿名ユーザ保証データベース２３を検索してその匿名が登録済みであるかどうか調べ、その匿名が実在証明有りか無しかを判定する。実在証明ありであればステップＤ７に移行し、実在証明無しであればその旨を求人サイト７に通知してステップＤ９に移行し、求人サイト７は職業応募者端末６からのアクセスを拒否する。また、求人サイト７では、ステップＤ８において、ステップＤ５の後、Ｔ秒経過したかどうかを判別する。Ｔ秒経過した場合には、タイムアウトとしてステップＤ９に移行し、職業応募者端末６からのアクセスを拒否する。
【００４３】
ステップＤ７では、匿名応募者実在保証局装置２は、その匿名の実在証明を求人サイト７に送信する。その結果、求人サイト７は、職業応募者端末６の匿名の実在証明を得て、ステップＤ１０において、職業応募者端末６からのアクセスへの応答を開始し、ステップＤ１１において、求人サイト７は、職業応募者端末６との依頼と応答情報の交換を開始するとともに、ステップＤ１２において、職業応募者端末６は、求人サイト７との依頼と応答情報の交換を開始する。
【００４４】
図９は、１人の職業応募者が複数の匿名（ＡとＢ）を使って異なる求人サイト７、８にアクセスする場合の処理を示している。ステップＤ１〜Ｄ３の処理は図８に示したものと同じである。
【００４５】
ステップＤ３で複数の匿名Ａ，Ｂを入手した後、ステップＤ１３において職業応募者端末６は、匿名Ａを用いて求人サイト７にアクセスする。求人サイト７は、職業応募者端末６からのアクセスを受信して後、ステップＤ１４において、匿名応募者実在保証局装置２に対し、職業応募者端末６が使用した匿名の実在証明を要求する。これを受けて匿名応募者実在保証局装置２のマッチング検索部２４は、ステップＤ１５において、匿名ユーザ保証データベース２３を検索し、その匿名の実在証明が有りか無しかを判断する。ここで実在証明有りであればステップＤ１６に移行し、無しであればステップＤ１８に移行し、求人サイト７は、職業応募者端末６からのアクセスを拒否する。これと平行して求人サイト７は、ステップＤ１７において、ステップＤ１４の後、Ｔ秒経過したかどうかを判別する。Ｔ秒経過した場合には、タイムアウトとしてステップＤ１８に移行し、職業応募者端末６からのアクセスを拒否する。
【００４６】
ステップＤ１６では、匿名応募者実在保証局装置２は匿名Ａの実在証明を求人サイト７に送信し、求人サイト４は、職業応募者端末６の匿名Ａの実在証明を得て、ステップＤ１９において、職業応募者端末６からのアクセスへの応答を開始する。その後、ステップＤ２０において、求人サイト７は職業応募者端末６との依頼と応答の情報の交換を開始し、ステップＤ２１において、職業応募者端末６は、求人サイト７との依頼と応答の情報の交換を開始する。
【００４７】
引き続いて職業応募者端末６は、ステップＤ２２において、先に入手した匿名Ｂを用いて求人サイト８にアクセスし、求人サイト８は、職業応募者端末６からのアクセスを受信して後、ステップＤ２３において、匿名応募者実在保証局装置２に対し、職業応募者端末６が使用した匿名の実在証明を要求する。匿名応募者実在保証局装置２のマッチング検索部２４は、ステップＤ２４において、匿名ユーザ保証データベース２３を検索し、実在証明が要求された匿名について、実在証明が有りか無しかを判別する。実在証明ありであれば、ステップＤ２５に移行し、実在証明なしであれば、その旨が求人サイト８に伝達され、ステップＤ２７において、求人サイト８は職業応募者端末６からのアクセスを拒否する。また、求人サイト８では、ステップＤ２６において、ステップＤ２３の後、Ｔ秒経過したかどうかを判別する。Ｔ秒経過した場合には、タイムアウトとしてステップＤ２７に移行し、職業応募者端末６からのアクセスを拒否する。
【００４８】
ステップＤ２５において、匿名応募者実在保証局装置２は、匿名Ｂの実在証明を求人サイト８に送信し、求人サイト８は、職業応募者端末６の匿名Ｂの実在証明を得て、ステップＤ２８において、職業応募者端末６からのアクセスへの応答を開始する。その後、ステップＤ２９において、求人サイト８は、職業応募者端末６との依頼と応答の情報の交換を開始し、ステップＤ３０において、職業応募者端末６は、求人サイト８との依頼と応答の情報の交換を開始する。
【００４９】
図８におけるステップＤ１１、Ｄ１２、及び図９におけるステップＤ２０、Ｄ２１、Ｄ２９、Ｄ３０で交換される情報は、待遇と職種と労働条件と求職者の個人情報とを含む求職求人情報である。この求職求人情報は、テキストベースの情報であってもよいし、テキストベースの情報に加えて、画像や映像による容姿や演技、そして音響や音声を含むスピーチやその他マルチメディア質疑応答の情報であってよい。
【００５０】
本実施形態においては、匿名応募者実在保証局装置２は、求職データベース２６を使って求人求職マッチング情報を提供するようにしてもよい。この場合は、職業応募者は上述の場合と同様にして予めその実名を含むプロファイル情報を匿名応募者実在保証局装置２に送って、プロファイル情報を匿名ユーザ保証データベース２３に登録するとともに、登録済みの匿名を受け取っておくものとする。その後、匿名応募者実在保証局装置２は、職業応募者端末６から送られてきた登録済みの匿名と求職情報とを求職データベース２６に登録し、通信ネットワーク１を経由して求人サイト７を検索して求人広告情報を集め、求職データベース２６と求人広告情報とのマッチングを検索し、その後、マッチングした求人サイト７には匿名の応募者がいることを伝えるとともに、職業応募者端末６には、マッチングした求人依頼主があることを伝えることとなる。以下、図１０を用いて、この場合の処理を詳細に説明する。
【００５１】
図８に示したステップＤ１〜Ｄ３を実行することにより、職業応募者端末６は、登録済みの匿名を入手しておくものとする。まず、ステップＥ１において求人サイト７は求人広告情報を掲載する。一方、職業応募者端末６は、ステップＥ２において、匿名応募者実在保証局装置２に、登録済みの匿名と求職情報（求職プロファイル）とを転送し、匿名応募者実在保証局装置２は、ステップＥ３において、職業応募者端末６から送られてきた匿名と求職プロファイルとその職業応募者の実名とを求職データベース２６に登録する。
【００５２】
匿名応募者実在保証局装置２は、ステップＥ４において、求人広告情報を掲載したサイトである求人サイト７を検索して求人広告情報を収集する。次に、匿名応募者実在保証局装置２のマッチング検索部２４は、ステップＥ５において、求職データベース２６を検索し、収集した求人広告情報が求職プロファイルとマッチングするものであるかどうかを判別する。ここで求職プロファイルとマッチングする求人広告情報を掲載したサイトがある場合にはステップＥ７に移行し、そのようなサイトがない場合にはステップＥ６に移行する。ステップＥ６では、他の求人サイトを検索するものとして、ステップＥ４に戻る。
【００５３】
ステップＥ７では、匿名応募者実在保証局装置２は、マッチングした匿名の応募者が存在することを求人サイト７に送信し、ステップＥ８において求人サイト７は、マッチングした匿名の応募者が存在する旨の連絡を受信する。同時に匿名応募者実在保証局装置２は、ステップＥ９において、マッチングした求人サイト７が有ることを職業応募者端末６に送信し、ステップＥ１０において、職業応募者端末６は、マッチングした求人サイト７が有ることを知らされる。その後、職業応募者端末６は、マッチングした求人サイト７に対し、匿名応募者実在保証局装置２から通知されている登録済み匿名を用いてアクセスすればよく、そのようにアクセスすることによって、図８におけるステップＤ４からの処理が実行されることになる。
【００５４】
さらにこの例の変形例として、求人サイト７が求人及び仕事の条件を含む問い合せを匿名応募者実在保証局装置２に転送し、匿名応募者実在保証局装置２が、求人サイトからの送られてきた条件と求職データベース２６に格納される求職情報とのマッチングを検出し、マッチングした情報をキーとして匿名応募者実在保証局装置２から求人サイト７が求人求職関連情報を入手し、入手した関連情報に基づいて求人サイト７側が例えば電子メールなどによって職業応募者にアクセスするようにすることも考えられる。
【００５５】
本実施形態のさらに別の例では、図１１に示すように、職業応募者端末６は、例えばインターネット上で各通信対象（ノード）の持つ情報を順次検索する機能を有するエージェントに、その求める仕事の条件情報を搭載して、求人サイトを検索する。以下、図１１における各ステップを説明する。ここでは、図８や図９に示した場合と同様に、職業応募者は予めその実名を含むプロファイル情報を匿名応募者実在保証局装置２に通知し、匿名応募者実在保証局装置２は、各職業応募者のプロファイル情報を匿名ユーザ保証データベース２３に登録しているものとする（図８のステップＤ１〜Ｄ３の処理が行われているものする）。
【００５６】
まずステップＦ１において、職業応募者端末６は、匿名ユーザ保証データベース２３に登録済みの匿名と求職プロファイルを含む検索エージェントを通信ネットワーク１に転送する。このエージェントは求人サイト７に受け入れられ、求人サイト７は、ステップＦ２において、職業応募者端末６からの検索エージェントは、その求人サイト７に掲載の求人情報とその検索エージェント搭載の求職プロファイルとのマッチングを検索し、マッチングの有無を判定する。ここでは、マッチングがなかったものとして、エージェントは、ステップＦ３において、次の求人サイト８を検索するものとする。求人サイト８においては、ステップＦ４において、検索エージェントは、その求人サイト８に掲載の求人情報とその検索エージェント搭載の求職プロファイルとのマッチングを検索し、マッチングの有無を判定する。ここではマッチングがあったものとして、ステップＦ５において、検索エージェントは、求人サイト８のことを職業応募者端末６に通知する。その結果、職業応募者端末６は、ステップＦ６において、マッチングした求人情報を有する求人サイト８が存在することを知らされる。
【００５７】
次に、ステップＦ７において、職業応募者端末６は、匿名を用いて求人サイト８にアクセスする。求人サイト８は、職業応募者端末６からのアクセスを受信して後、ステップＦ８において、匿名応募者実在保証局装置２に対し、職業応募者端末６が使用した匿名の実在証明を要求する。匿名応募者実在保証局装置２のマッチング検索部２４は、ステップＦ９において、匿名ユーザ保証データベース２３を検索し、その匿名の実在証明が有るかないかを判断する。ここで実在証明がある場合にはステップＦ１０に移行し、実在証明がない場合には、その旨が求人サイト８に伝えられ、ステップＦ１２へ移行し、求人サイト８は職業応募者端末６からのアクセスを拒否する。また、求人サイト８では、ステップＦ１１において、ステップＦ８の後、Ｔ秒経過したかどうかを判別する。Ｔ秒経過した場合には、タイムアウトとしてステップＦ１２に移行し、職業応募者端末６からのアクセスを拒否する。
【００５８】
ステップＦ１０において、匿名応募者実在保証局装置２は、匿名の実在証明を求人サイト８に送信し、求人サイト８は、ステップＦ１３において、職業応募者端末６が使用した匿名の実在証明を得て、職業応募者端末６からのアクセスへの応答を開始する。その後、ステップＦ１４において、依頼者サイト８は、職業応募者端末６との依頼と応答の情報の交換を開始し、ステップＦ１５において、職業応募者端末６は、求人サイト８との依頼と応答の情報の交換を開始する。
【００５９】
以上、本発明の好ましい実施形態について説明したが、上述した各実施形態において、応募者端末３や職業応募者端末６は、インターネットなどの通信ネットワーク１に接続する機能を有するとともに、ウェブページを閲覧するためのブラウザソフトウェアを備えたパーソナルコンピュータなどによって実現される。また、匿名応募者実在保証局装置２、依頼者サイト４、５、求人サイト７、８は、いずれも、それを実現するためのコンピュータプログラムを、パーソナルコンピュータやサーバ用コンピュータなどのコンピュータに読み込ませ、そのプログラムを実行させることによっても実現できる。これらのプログラムは、ＣＤ−ＲＯＭなどの記録媒体によって、あるいは、通信ネットワーク１を介して、コンピュータに読み込まれる。そのようなコンピュータは、一般に、ＣＰＵと、プログラムやデータを格納するためのハードディスク装置と、主メモリと、キーボードやマウスなどの入力装置と、ＣＲＴや液晶ディスプレイなどの表示装置と、ＣＤ−ＲＯＭ等の記録媒体を読み取る読み取り装置と、通信ネットワーク１に接続するための通信インタフェースとから構成されており、ハードディスク装置、主メモリ、入力装置、表示装置、読み取り装置及び通信インタフェースは、いずれもＣＰＵに接続している。このコンピュータは、匿名応募者実在保証局装置を実現するためのプログラムを格納した記録媒体を読み取り装置に装着してその記録媒体からプログラムを読み出してハードディスク装置に格納し、あるいはそのようなプログラムを通信ネットワークを介してダウンロードしてハードディスク装置に格納し、その後、ハードディスク装置に格納されたプログラムをＣＰＵが実行することにより、匿名応募者実在保証局装置として機能することになる。同様に、依頼者サイトを実現するためのプログラムをハードディスク装置に格納してそのプログラムをＣＰＵが実行することにより、そのコンピュータは依頼者サイトとして機能することになり、求人サイトを実現するためのプログラムをハードディスク装置に格納してそのプログラムをＣＰＵが実行することにより、そのコンピュータは求人サイトとして機能することになる。
【図面の簡単な説明】
【００６０】
【図１】本発明の第１の実施形態の応募者保証サービスシステムの構成を示すブロック図である。
【図２】匿名応募者実在保証局装置の構成を示すブロック図である。
【図３】第１の実施形態での処理の例を示すフローチャートである。
【図４】第１の実施形態での処理の別の例を示すフローチャートである。
【図５】第１の実施形態での処理の別の例を示すフローチャートである。
【図６】第１の実施形態での処理の別の例を示すフローチャートである。
【図７】本発明の第２の実施形態の応募者保証サービスシステムの構成を示すブロック図である。
【図８】第２の実施形態での処理の例を示すフローチャートである。
【図９】第２の実施形態での処理の別の例を示すフローチャートである。
【図１０】第２の実施形態での処理の別の例を示すフローチャートである。
【図１１】第２の実施形態での処理の別の例を示すフローチャートである。
【符号の説明】
【００６１】
１    通信ネットワーク
２    匿名応募者実在保証局装置
３    応募者端末
４、５    依頼者サイト
６    職業応募者端末
７、８    求人サイト
２１    ネットワーク接続部
２２    ＤＢ（データベース）処理管理部
２３    匿名ユーザ保証データベース
２４    マッチング検索部
２５    ステータス管理制御部
２６    求職データベース
Ａ１〜Ａ３０，Ｂ１〜Ｂ９，Ｃ１〜Ｃ１５    ステップ
Ｄ１〜Ｄ３０，Ｅ１〜Ｅ１０，Ｆ１〜Ｆ１５    ステップ
【図１】
2005258677.tif 000003
【図２】
2005258677.tif 000004
【図３】
2005258677.tif 000005
【図４】
2005258677.tif 000006
【図５】
2005258677.tif 000007
【図６】
2005258677.tif 000008
【図７】
2005258677.tif 000009
【図８】
2005258677.tif 000010
【図９】
2005258677.tif 000011
【図１０】
2005258677.tif 000012
【図１１】
2005258677.tif 000013